(57)【要約】【課題】  アスペクト比が異なる複数の映像データの記録ができる撮像装置において、撮影時の操作性及び視認性を向上させ、さらに一方の映像データを撮影中の映像における適切な位置から切り出すことを目的とする。【解決手段】  第１のアスペクト比からなる第１の映像データを記録動作中に、第１のアスペクト比とは異なる第２のアスペクト比からなる第２の映像データを記録可能な撮像装置において、撮像部が撮影動作を行って、第１の映像データと第２の映像データとで共通となる撮像データを生成し、撮像データをもとに第１の映像データを記録処理するとともに、撮像データから一部のデータを切り出すことにより前記第２の映像データを生成して記録処理する際に、第２の映像データを切り出す際の基準となる位置を設定するコントローラを備える。【選択図】  図３
2006303961.tif 000002
【特許請求の範囲】
【請求項１】
第１のアスペクト比からなる第１の映像データを記録動作中に、第１のアスペクト比とは異なる第２のアスペクト比からなる第２の映像データを記録可能な撮像装置において、
撮影動作を行って、前記第１の映像データと前記第２の映像データとで共通となる撮像データを生成する生成手段と、
生成された前記撮像データから前記第１の映像データを生成して記録処理する第１の記録手段と、
生成された前記撮像データから一部のデータを切り出すことにより前記第２の映像データを生成して記録処理する第２の記録手段と、
前記第２の映像データを切り出す際の基準となる位置を設定する設定手段とを備えたことを特徴とする撮像装置。
【請求項２】
前記設定手段で設定された基準となる位置に基づいて前記第２の映像データが切り出されるエリアを識別するための表示を行なう表示手段をさらに備えたことを特徴とする請求項１に記載の撮像装置。
【請求項３】
前記表示手段は、前記第２の映像データが切り出されるエリアを示す枠の表示、または、前記第２の映像データが切り出されるエリアの内側と外側とで表示形態を異ならせた表示を行なうことを特徴とする請求項２に記載の撮像装置。
【請求項４】
前記表示手段の動作と前記第２の記録手段の動作とを操作可能な共通の操作手段をさらに備え、
前記操作手段における第１の操作に応じて前記表示手段は前記第２の映像データが切り出されるエリアを識別するための表示を行ない、前記操作手段における第２の操作に応じて前記第２の記録手段は前記第２の映像データの記録処理を行なうことを特徴とする請求項２又は３に記載の撮像装置。
【請求項５】
オートフォーカス機能を有する撮像手段をさらに備え、
前記設定手段は前記撮像手段においてオートフォーカス動作が行なわれた結果から得られる、合焦している測距点の位置に応じて前記基準となる位置を設定することを特徴とする請求項１または２に記載の撮像装置。
【請求項６】
前記設定手段は前記第１の映像データが示す画像の中心位置に応じて前記基準となる位置を設定することを特徴とする請求項１または２に記載の撮像装置。
【請求項７】
前記撮像データを用いて被写体認識処理を行なう被写体認識手段をさらに備え、
前記設定手段は前記被写体認識手段によって被写体認識処理が行なわれた結果に応じて前記基準となる位置を設定することを特徴とする請求項１または２に記載の撮像装置。
【請求項８】
前記第１の映像データはアスペクト比１６：９の動画像を示すデータであって、前記第２の映像データはアスペクト比４：３の静止画像を示すデータであることを特徴とする請求項１乃至７の何れか１項に記載の撮像装置。
【発明の詳細な説明】
【技術分野】
【０００１】
本発明は、撮像動作を行って生成した動画像データ及び静止画像データを記録媒体に記録可能な撮像装置に関する。
【背景技術】
【０００２】
近年、ｍｉｎｉＤＶテープにＨＤ（Ｈｉｇｈ  Ｄｅｆｉｎｉｔｉｏｎ）仕様の高解像度な映像データを記録するためのＨＤＶ規格が策定されたことにより、ＨＤ映像の撮影及び記録再生が可能なディジタルビデオカメラが発売されている。
【０００３】
ＨＤ映像を撮影可能なディジタルビデオカメラにおいては、従来のＳＤ（Ｓｔａｎｄａｒｄ  Ｄｅｆｉｎｉｔｉｏｎ）映像の撮影も可能となっているものがある。この場合、ＳＤ映像を撮影するときには、ＨＤ映像を撮影可能な高画素の撮像素子で読み出される情報のうち、ＳＤ映像として必要な部分だけを用いて処理することでＳＤ映像データを生成している。
【０００４】
また、高画素の撮像素子を用いて、高解像度の映像とそれ以下の標準解像度の映像とを撮影可能とした撮像装置の提案が既になされている（例えば、特許文献１参照。）。特許文献１では、高解像度の静止画像と、それ以下の標準解像度の動画像とが共通の撮像素子により撮影可能であって、静止画像を撮影する為の有効画素範囲内で動画像の撮影位置を可変とするための構成が記載されている。
【特許文献１】特開２００１−１６９１７２号公報
【発明の開示】
【発明が解決しようとする課題】
【０００５】
ところで、ＨＤ映像はアスペクト比が１６：９であり、従来のＳＤ映像の４：３とは異なっている。従来のＨＤ映像を撮影可能なディジタルビデオカメラにおいては、ＨＤ映像とＳＤ映像とは異なる撮影モードによって撮影されるので、ＨＤ映像（動画像）の撮影中に静止画像の撮影を行なうことを考えた場合、撮影中の映像のアスペクト比が１６：９であるから、動画像の１画面をキャプチャして得られる静止画像のアスペクト比も１６：９となっていた。
【０００６】
また上記した特許文献１では、得られる静止画像、動画像ともにアスペクト比が４：３となっていて、ＨＤ映像（動画像）を撮影することはできなかった。
【０００７】
しかしながら、今後は１６：９のアスペクト比の動画像をＨＤ映像で撮影し、静止画像に関しては、これまで広く用いられてきた４：３のアスペクト比が好まれる傾向があるので、４：３のアスペクト比の静止画像を同じモードで撮影できるようにする必要がある。
【０００８】
ところで、ディジタルビデオカメラを用いた撮影時には、ビューファインダーや液晶モニタ等の表示部に表示される被写体像を見ながら撮影を行なうのが一般的である。ＨＤ対応のビデオカメラにおいては、ＨＤ動画像の撮影時にはアスペクト比１６：９の映像が表示部に表示されることになる。ＨＤ動画像を撮影しているときに、アスペクト比４：３の静止画像の記録を行なうとした場合、表示部に表示されている１６：９の映像のうち、どの部分を静止画像として記録するか指示或いは選択するすべはなく、また静止画記録として選択されている部分がどこなのか撮影者にはわからない。
【０００９】
本発明はこのような状況を鑑みてなされたものであり、例えば動画像である第１の映像を撮影中に例えば静止画像である第２の映像データの記録が可能であって、かつ各映像のアスペクト比を異ならせることができるようにした上で、撮影時の操作性及び視認性を向上させ、さらに一方の映像データを撮影中の映像における適切な位置から簡単に切り出すことを目的とする。
【課題を解決するための手段】
【００１０】
上記課題を解決するために、本発明の撮像装置は、第１のアスペクト比からなる第１の映像データを記録動作中に、第１のアスペクト比とは異なる第２のアスペクト比からなる第２の映像データを記録可能な撮像装置において、撮影動作を行って、前記第１の映像データと前記第２の映像データとで共通となる撮像データを生成する生成手段と、生成された前記撮像データから前記第１の映像データを生成して記録処理する第１の記録手段と、生成された前記撮像データから一部のデータを切り出すことにより前記第２の映像データを生成して記録処理する第２の記録手段と、前記第２の映像データを切り出す際の基準となる位置を設定する設定手段とを備えたことを特徴とする。
【発明の効果】
【００１１】
本発明によれば、アスペクト比が異なる第１の映像データと第２の映像データの両方の記録を行なうことができるようになるとともに、適切な位置から第２の映像データを切り出して簡単に記録することができる。
【発明を実施するための最良の形態】
【００１２】
以下、添付した図面を参照しながら本発明の好適な実施の形態を説明する。
【００１３】
図１は本発明の好適な実施形態である撮像装置の例であって、ＨＤ対応のディジタルビデオカメラ１００の構成図である。ディジタルビデオカメラ１００はアスペクト比１６：９のＨＤ動画像の撮影が可能であり、その撮影中にアスペクト比４：３の静止画像の記録を行なうことができる。
【００１４】
図１で示したディジタルビデオカメラ１００の構成を説明する。ディジタルビデオカメラ１００は、撮像部１０１、信号処理部１０２、フレームメモリ１０３、ＣＰＵ１０４、テープＩ／Ｆ１０５、カードＩ／Ｆ１０７、動画・静止画コーデック１０９、操作部１１０、表示部１１１および被写体認識部１１２を有する。さらに、着脱式な磁気テープ１０６とメモリカード１０８を各Ｉ／Ｆへ装着可能であり、装着した場合にそれぞれ映像データの記録媒体として使用できる構成である。
【００１５】
図１において、撮像部１０１は被写体像および音声を電気信号に変換するものであり、動画像や静止画像の撮影機能を有する。撮像部１０１はＨＤ映像を撮像可能なセンサを含む。撮影時、撮像部１０１で得られた電気信号は、信号処理部１０２においてＡ／Ｄ変換および画像処理や音声処理等の適切な信号処理が施され、デジタルデータ（撮像データ）としてフレームメモリ１０３にバッファリングされる。
【００１６】
フレームメモリ１０３に格納されたデジタルデータは動画・静止画コーデック１０９によって、ＨＤ動画像及び音声はＭＰＥＧ方式で、ＳＤ動画像及び音声はＤＶ方式で、静止画像はＪＰＥＧ方式で圧縮符号化され、テープＩ／Ｆ１０５を通してテープ１０６に、あるいはカードＩ／Ｆ１０７を通してメモリカード１０８に符号化された映像データが記録される。
【００１７】
操作部１１０は操作者（ユーザ）が撮影、記録及び再生等に関わる操作や、静止画像記録時のフレーム選択などの各種指示を行なうためのユーザインタフェースである。
【００１８】
ＣＰＵ１０４は内包する制御プログラムや、操作部１１０から入力されたユーザ指示に従って各部の動作を制御するコンピュータである。
【００１９】
表示部１１１は撮像部１０１によって撮影された撮影画像データをフレームメモリ１０３から取得して表示処理を行った上で表示したり、磁気テープ１０６やメモリカード１０８に記録された映像データを再生するときには動画・静止画コーデック１０９で伸張後の再生画像を表示できるほか、ユーザ指示に基づくＣＰＵ１０４の制御のもと各種キャラクタ画像等を表示する機能も有する。また表示部１１１はアスペクト比１６：９の映像の表示に適した液晶ディスプレイを含む。
【００２０】
被写体認識部１１２はフレームメモリ１０３に格納されたデジタルデータを用いて、撮影画像中の特定被写体を認識する機能を有する。
【００２１】
ところで、前述したようにディジタルビデオカメラ１００はアスペクト比１６：９のＨＤ動画像の撮影が可能であり、その撮影中にアスペクト比４：３の静止画像の記録を行なうことができる。その詳細は、ＨＤ動画像を撮影するモードにおいて撮影動作中に、操作部１１０に含まれるシャッターボタンを押すことで、シャッターボタンの操作に同期したタイミングで１画面分の１６：９の画像が撮影画像から抜き出され、さらにそこから４：３のエリアで切り出し（トリミング）された画像データが静止画像としてデータ処理して記録されるものである。このときは、フレームメモリ１０３に格納された撮影画像を示すデジタルデータから、デジタルデータそのものを用いたＨＤ動画データと、シャッターボタンに従って４：３のエリアでトリミングされた後の静止画データとが出力され、それぞれ記録処理されることになる。
【００２２】
ディジタルビデオカメラ１００は、このような静止画記録ためのアシスト機能として、アスペクト比４：３のエリアをトリミングするのためのキャラクタ表示を表示部１１１上で行なう。また上記４：３のエリアを選択するための操作指示を操作部１１０から行って、ＣＰＵ１０４の制御のもと、トリミング処理をフレームメモリ１０３を用いて行なわせたり、上記キャラクタ表示の内容を適宜変更させたりすることができる。
【００２３】
次に、ＨＤ動画像の撮影中にアスペクト比４：３の静止画像の記録を行なう場合の、トリミングのためのキャラクタ表示について詳しく述べる。まず、ＨＤ動画像を撮影中のときには、その撮影画像は表示部１１１において図２のように表示される。図２の例ではアスペクト比１６：９に対応する表示画面全体に撮影中のＨＤ動画像が表示されているとする。
【００２４】
この状態でユーザが操作部１１０のシャッターボタンを半押し操作することにより、ＣＰＵ１０４の制御のもと表示部１１１は図３或いは図４のようなキャラクタ画像を撮影画像に重畳させる表示を行なう。図３或いは図４において、撮影画像は１６：９表示画、キャラクタ画像は「４：３トリミング枠」と示している。また、図３はトリミング枠を点線表示させる例、図４はトリミング枠を半透明にして表示させる例である。
【００２５】
図３の例では、静止画記録のためのシャッターボタンの半押し操作を行なうと、アスペクト比４：３の静止画トリミング枠が点線として表示される。また図４の例では、静止画記録のためのシャッターボタンの半押し操作を行なうと、アスペクト比４：３の静止画トリミング枠の外側に表示される撮影画像を半透明にして表示される。いずれの例もユーザに対して、視覚的に４：３のエリアが識別しやすくするためのものである。また、このような異なる表示形態は、被写体によって見やすいもの、見づらいものがあったりするので、操作部１１０からのユーザの指示に応じていずれか設定可能とする。
【００２６】
ユーザは、操作部１１０のシャッターボタンを半押し操作することによって表示されたトリミング枠表示を確認し、そのままでよければ操作部１１０のシャッターボタンを全押し操作する。そのシャッタータイミングに同期して、アスペクト比１６：９の撮影画像中の上記４：３トリミング枠で示されるエリア内の画像が静止画像として扱われるようになり、フレームメモリ１０３から撮影中の動画像とは別個に出力され、動画・静止画コーデック１０９で圧縮符号化された後、静止画データとして記録処理される。
【００２７】
なお、シャッターボタンは半押し／全押しの２段階スイッチであることを例にして説明したが、４：３トリミング枠を表示するためのスイッチを別に設けても良いし、動画像の撮影中に常時表示させておいても良い。
【００２８】
次に、このような静止画のトリミングのためのキャラクタ表示について、例えば図３のように表示された４：３のトリミング枠が、ユーザが希望するエリアと一致しているとは限らないので、表示される４：３トリミング枠の位置を適切な位置に設定し表示させる構成について説明する。
【００２９】
ディジタルビデオカメラ１００は、トリミング枠の表示位置の選択方法として３種類のモードの設定が可能である。３つのモードとは「ＡＦ測距点に応じた選択」、「中央選択」そして「被写体認識による選択」である。各モードはユーザが選択可能であって、操作部１１０から入力されたユーザ指示に従って、ＣＰＵ１０４によって設定及び各部の制御が行われる。ユーザは場面に応じて各モードを適宜使い分けることができる。
【００３０】
具体的に、「ＡＦ測距点に応じた選択」モードは、動画撮影中に動作している撮像部１０１内のオートフォーカス（ＡＦ）機能によって合焦している測距点を常時検出し、シャッターボタンを半押しした際には、そのときに合焦している測距点の位置情報を用いて、測距点の位置を基準として４：３トリミング枠を設定し、その位置を表示するモードである。その表示例を図５に示す。図５の例では、撮影画像（１６：９表示画）と、シャッターボタンを半押ししたタイミングでＡＦ測距点の表示と、合焦している測距点を中心にして設定された４：３トリミング枠を表示している。
【００３１】
また、「中央選択」モードは、シャッターボタン半押し操作に応じてアスペクト比１６：９のＨＤ動画像の撮影領域におけるセンター部分を基準として４：３トリミング枠を設定し、その位置を表示するモードである。その表示例を図６に示す。図６の例では、撮影画像（１６：９表示画）と、シャッターボタンを半押ししたタイミングで撮影画像のセンター位置の表示と、該センター位置を基準に設定された４：３トリミング枠を表示している。
【００３２】
また、「被写体認識による選択」モードは、シャッターボタン半押し操作に応じて、被写体認識部１１２において被写体認識処理を実行し、被写体認識部１１２で認識された撮影画像中の主被写体を基準として、４：３トリミング枠を設定し、その位置を表示するモードである。撮影画像中の被写体認識処理については、例えば撮影画像中でウェイトの高い特徴的な色を認識したり、顔を認識したりする公知の技術を用いることで実現する。その表示例を図７に示す。図７の例では、撮影画像（１６：９表示画）と、シャッターボタンを半押ししたタイミングで被写体認識処理の結果に基づく被写体検出枠の表示と、被写体検出枠を基準に設定された４：３トリミング枠を表示している。
【００３３】
次に、これまで説明してきた、ＨＤ動画像を撮影中にアスペクト比４：３の静止画像を記録するときの動作をフローチャートで表わして図８に示す。図８のフローチャートは、制御プログラムに従ってＣＰＵ１０４によって実行される手順を図示したものである。
【００３４】
図８において、動画像（ＨＤ）の撮影が開始される（ステップＳ１）。
【００３５】
ユーザはトリミング枠の表示形態（図３又は図４）を選択する（ステップＳ２）。なおこの段階でユーザが選択しない場合は、デフォルトで指定されている表示形態を自動で選択しても良い。
【００３６】
ユーザはトリミング枠の表示位置を選択する（ステップＳ３）。すなわち、上記した３つのモード（図５、図６又は図７）のうち、いずれかを選択する。なおこの段階でユーザが選択しない場合は、デフォルトで指定されている表示位置（モード）を自動で選択しても良い。ここで、選択された表示形態と、選択されたモードに応じてＣＰＵ１０４はトリミングに関わる設定と、その表示のための設定を行なう。
【００３７】
次にステップＳ４において、動画像の撮影が中止されたときは動画像の撮影終了（ステップＳ１０）へと進み、引き続き動画像の撮影が行われているならばステップＳ５へ進む。
【００３８】
次にステップＳ５において、操作部１１０内の静止画記録のためのシャッターボタンが半押しされたときはステップＳ６へ進み、選択されているモードにしたがってトリミング枠の表示位置の決定を行ない（ステップＳ６）、シャッターボタンが半押しされていないときはステップＳ４へ進む。
【００３９】
ステップＳ６で決定されたトリミング枠の表示位置にトリミング枠を表示する（ステップＳ７）。このとき表示部１１１上に撮影画像とともに４：３トリミング枠が表示される。
【００４０】
その後、ステップＳ８において、操作部１１０内の静止画記録のためのシャッターボタンが全押しされたときはステップＳ９へ進み、トリミング枠の範囲で示されるの画像を静止画像として圧縮符号化して記録する（ステップＳ９）。シャッターボタンが全押しされていないときはステップＳ４へ進む。ステップＳ４で動画像の撮影が中止されたときには、本フローが終了する。
【００４１】
このように、本実施の形態によれば、ＨＤ動画像を撮影中にアスペクト比４：３の静止画像を、表示画面を見て確認しながら記録できるようになるとともに、アスペクト比４：３の静止画像を適切な位置から簡単にトリミングして記録することができる。
【図面の簡単な説明】
【００４２】
【図１】本実施形態におけるディジタルビデオカメラのブロック図である。
【図２】アスペクト比１６：９の動画像を撮影している際の表示画面を示した図である。
【図３】アスペクト比１６：９の動画像に静止画記録のための点線の４：３トリミング枠を重畳して表示した例である。
【図４】アスペクト比１６：９の動画像に静止画記録のための半透明の４：３トリミング枠を重畳して表示した例である。
【図５】アスペクト比１６：９の動画像に静止画記録のための４：３トリミング枠を合焦中のＡＦ測距点を基準に重畳して表示した例である。
【図６】アスペクト比１６：９の動画像に静止画記録のための４：３トリミング枠を動画像のセンターを基準に重畳して表示した例である。
【図７】アスペクト比１６：９の動画像に静止画記録のための４：３トリミング枠を被写体認識の結果を基準に重畳して表示した例である。
【図８】動画像を撮影中に静止画像を記録するときの動作を示したフローチャートである。
【符号の説明】
【００４３】
１００  ディジタルビデオカメラ
１０１  撮像部
１０２  信号処理部
１０３  フレームメモリ
１０４  ＣＰＵ（コンピュータ）
１０５  テープＩ／Ｆ
１０６  磁気テープ
１０７  カードＩ／Ｆ
１０８  メモリカード
１０９  動画・静止画コーデック
１１０  操作部
１１１  表示部
１１２  被写体認識部
【図１】
2006303961.tif 000003
【図２】
2006303961.tif 000004
【図３】
2006303961.tif 000005
【図４】
2006303961.tif 000006
【図５】
2006303961.tif 000007
【図６】
2006303961.tif 000008
【図７】
2006303961.tif 000009
【図８】
2006303961.tif 000010